(57)【特許請求の範囲】
【請求項１】
１つの被写体像に対応した画像を、複数回の露光動作によって複数の記録領域にそれぞれ記録する第１の撮影手段と、
１つの被写体像に対応した画像を、１回の露光動作によって１つまたは複数の記録領域に記録する第２の撮影手段と、
前記第１の撮影手段による露光に用いられる第１の光学部材と、
前記第２の撮影手段による露光に用いられる第２の光学部材と、
前記第１および第２の撮影手段の一方を動作させるべく選択する撮影モード切換手段と
を備えたことを特徴とする撮影モード切換装置。
【請求項２】
前記第１および第２の光学部材が回転フィルタから構成されることを特徴とする請求項１に記載の撮影モード切換装置。
【請求項３】
前記第１の撮影手段による露光動作時に、１つの記録領域への露光に対応させて前記回転フィルタを回転させるフィルタ移送手段を備えたことを特徴とする請求項２に記載の撮影モード切換装置。
【請求項４】
前記第１の光学部材がそれぞれＲ、Ｇ、Ｂのフィルタ要素から成る３つの原色フィルタを有することを特徴とする請求項１に記載の撮影モード切換装置。
【請求項５】
前記第２の光学部材がＲ、Ｇ、Ｂのフィルタ要素を所定の配列で配置させた色フィルタを有することを特徴とする請求項１に記載の撮影モード切換装置。
【請求項６】
前記第２の光学部材が透明のフィルタを有することを特徴とする請求項１に記載の撮影モード切換装置。
【請求項７】
前記第１の光学部材が回転フィルタであり、前記第２の光学部材が色分解プリズムであることを特徴とする請求項１に記載の撮影モード切換装置。
【請求項８】
前記複数の記録領域が画像を電子的に現像する電子現像型記録媒体に形成されることを特徴とする請求項１に記載の撮影モード切換装置。
【請求項９】
前記１つの記録領域が画像を電子的に現像する電子現像型記録媒体に形成されることを特徴とする請求項８に記載の撮影モード切換装置。
【請求項１０】
前記１つの記録領域が固体撮像素子に形成されることを特徴とする請求項１に記載の撮影モード切換装置。
【発明の詳細な説明】
【０００１】
【発明の属する技術分野】
本発明は、１回の撮影動作において例えばレッド、グリーンおよびブルーの画像を記録することができるカメラに関し、特に撮影モードを切り換える装置に関する。
【０００２】
【従来の技術】
従来、撮影レンズにより得られた光学像を電子的に現像することができる写真材料が知られており、例えば特開平５−２２８０号公報には、静電情報記録媒体と電荷保持媒体とを組み合わせた記録媒体が開示されている。この明細書では、このような記録媒体を電子現像型記録媒体と呼び、また電子現像型記録媒体を用いるカメラを電子現像型カメラと呼ぶ。
【０００３】
また従来、記録媒体にカラー画像を記録する構成として、記録媒体に少なくとも３つの記録領域を設け、各記録領域にレッド、グリーンおよびブルーの画像を記録する構成が知られており、電子現像型カメラにおいても同様に、被写体像をレッド、グリーンおよびブルーの画像に色分解して電子現像型記録媒体に記録するように構成することが可能である。
【０００４】
【発明が解決しようとする課題】
３つの記録領域にレッド、グリーンおよびブルーの画像を記録するために、１回の撮影動作において３回の露光動作を行い、３つの画像を１つずつ順次記録する構成によると、高精細画像を得ることができるが、その撮影動作の間、カメラを完全に静止させる必要があることは勿論のこと、被写体も静止していなければならない。一方、被写体が動体である場合には、このような撮影モードを採用すると鮮明な画像は得られず、１回の撮影動作によって３つの画像を同時に記録する必要がある。
【０００５】
本発明は、被写体像が静止像であるか動体であるかに応じて撮影モードを切り換え、所望の画像を得ることを可能にする撮影モード切換装置を得ることを目的としている。
【０００６】
【課題を解決するための手段】
本発明に係る撮影モード切換装置は、１つの被写体像に対応した画像を、複数回の露光動作によって複数の記録領域にそれぞれ記録する第１の撮影手段と、１つの被写体像に対応した画像を、１回の露光動作によって１つまたは複数の記録領域に記録する第２の撮影手段と、第１の撮影手段による露光に用いられる第１の光学部材と、第２の撮影手段による露光に用いられる第２の光学部材と、第１および第２の撮影手段の一方を動作させるべく選択する撮影モード切換手段とを備えたことを特徴としている。
【０００７】
第１および第２の光学部材は、例えば回転フィルタにより構成される。この場合、第１の撮影手段による露光動作時に、１つの記録領域への露光動作に対応させて回転フィルタを回転させるフィルタ移送手段を備えることが好ましい。
【０００８】
第１の光学部材は例えば、それぞれＲ、Ｇ、Ｂのフィルタ要素から成る３つの原色フィルタを有する。
【０００９】
第２の光学部材は例えば、Ｒ、Ｇ、Ｂのフィルタ要素を所定の配列で配置させた色フィルタを有する。また第２の光学部材は、透明のフィルタを有していてもよい。さらに第２の光学部材は色分解プリズムであってもよい。
【００１０】
複数の記録領域は例えば、画像を電子的に現像する電子現像型記録媒体に形成される。この場合、第２の撮影手段によって露光される１つの記録領域が、画像を電子的に現像する電子現像型記録媒体に形成されてもよい。また、この記録領域は固体撮像素子に形成されてもよい。
【００１１】
【発明の実施の形態】
以下、本発明の実施の形態を図面を参照して説明する。
図１は本発明の第１の実施形態を適用したスチルビデオカメラの外観図である。このスチルビデオカメラは電子現像型カメラであり、電子現像型記録媒体によって画像を現像するように構成されている。
【００１２】
カメラ本体５０の前面の略中央には撮影光学系である交換レンズ５１を装着するためのレンズマウント５２が形成されている。レンズマウント５２の側方には交換レンズ５１を取り外すとき押下される取外しボタン５３が設けられ、またレンズマウント５２の左上方にはホワイトバランス調整用窓５４が配設されている。カメラ本体５０の上面の略中央には、ストロボを装着するためのストロボシュー５５が設けられ、ストロボシュー５５の側方にはレリーズボタン５６が設けられている。カメラ本体５０の側面には、外部のコンピュータ等に画像データを送信するための通信コネクタ５７が設けられている。一方、カメラ本体５０の下面には、電子現像型記録媒体（図示せず）をカメラ本体５０内に装着するためのスロット（図示せず）が形成されている。
【００１３】
図２は図１に示すスチルビデオカメラのブロック図である。
システムコントロール回路２０はマイクロコンピュータであり、本スチルビデオカメラの全体の制御を行う。
【００１４】
撮影光学系１２には複数のレンズ群の他、絞り１２ａが設けられている。撮影光学系１２の後方にはクイックリターンミラー２１が配設され、クイックリターンミラー２１の後方にはカラーフィルタである回転フィルタ７０が配設されている。回転フィルタ７０の後方には、リレー光学系７５、シャッタ２２、電子現像型記録媒体３０がこの順に設けられている。クイックリターンミラー２１の上方にはファインダ光学系２３のピント板２３ａが配設され、ファインダ光学系２３には、撮影光学系１２からの入射光を検出する測光センサ２８が設けられている。
【００１５】
絞り１２ａ、クイックリターンミラー２１およびシャッタ２２は、それぞれアイリス駆動回路２４、ミラー駆動回路２５およびシャッタ駆動回路２６によって駆動され、これらの回路２４、２５、２６は露出制御回路２７により制御される。露出制御回路２７はシステムコントロール回路２０から出力される指令信号に従って動作する。すなわち、露出制御時、測光センサ２８からの出力信号に基づく露出制御回路２７の制御に従って、絞り１２ａはアイリス駆動回路２４により開度を調整される。クイックリターンミラー２１は通常、被写体を観察するための位置であるダウン位置（実線により示される傾斜状態）に定められ、撮影光学系１２を通過した光をファインダ光学系２３に導いているが、撮影動作時、露出制御回路２７の制御に従い、ミラー駆動回路２５によって上方に回動せしめられアップ位置（破線により示される水平状態）に定められる。シャッタ２２は通常閉塞しているが、撮影動作時、露出制御回路２７の制御に従って、シャッタ駆動回路２６によって所定時間開放され、これにより撮影光学系１２を通過した光が電子現像型記録媒体３０の受光面に照射される。
【００１６】
電子現像型記録媒体３０は３つの記録領域３０ａ、３０ｂ、３０ｃを備え、各記録領域３０ａ、３０ｂ、３０ｃはそれぞれ１画面分の大きさを有している。各記録領域３０ａ、３０ｂ、３０ｃは記録媒体駆動回路４１の制御に基づき、スイッチ４２ａ、４２ｂ、４２ｃを介して電圧を印加され、この電圧印加の間に露光されることによって記録領域３０ａ、３０ｂ、３０ｃには、撮影光学系１２によって結像された画像が可視像として現像される。記録媒体駆動回路４１とスイッチ４２ａ、４２ｂ、４２ｃは、システムコントロール回路２０から出力される指令信号に従って動作する。
【００１７】
回転フィルタ７０は図３に示すように、Ｒ（レッド）フィルタ要素７０Ｒ、Ｇ（グリーン）フィルタ要素７０Ｇ、Ｂ（ブルー）フィルタ要素７０Ｂの３つの原色フィルタから成る第１の光学部材と、ストライプフィルタ７０Ｓから成る第２の光学部材とを備えている。各フィルタ要素７０Ｒ、７０Ｇ、７０Ｂとストライプフィルタ７０Ｓは、回転フィルタ７０をその回転中心Ｃを通る２本の直線によって略４等分して成る扇型を有し、この扇型の大きさは、シャッタ２２のアパーチャＡＰ、すなわち記録領域３０ａ、３０ｂ、３０ｃを包含する大きさを有している。ストライプフィルタ７０Ｓは図４に示すように、Ｒフィルタ要素を水平方向に１列に並べて構成されるＲラインフィルタＬＲと、Ｇフィルタ要素を水平方向に１列に並べて構成されるＧラインフィルタＬＧと、Ｂフィルタ要素を水平方向に１列に並べて構成されるＢラインフィルタＬＢとを有し、これらのラインフィルタＬＲ、ＬＧ、ＬＢは、この順に垂直方向に、交互に配設されている。
【００１８】
回転フィルタ７０は撮影光学系１２の光軸周りに回転可能であり、システムコントロール回路２０の制御に基づき、回転フィルタ駆動機構７１を介して回転移送される。電子現像型記録媒体３０は撮影光学系１２の光軸に垂直な方向に直線的に移動可能であり、システムコントロール回路２０の制御に基づき、記録媒体移送駆動機構８０によって移送される。
【００１９】
第１の撮影モードにおいて、回転フィルタ７０と電子現像型記録媒体３０は同期をとって移送される。すなわち撮影光学系１２の光軸上に、Ｒフィルタ要素７０Ｒと第１の記録領域３０ａの中心、Ｇフィルタ要素７０Ｇと第２の記録領域３０ｂの中心、あるいはＢフィルタ要素７０Ｂと第３の記録領域３０ｃの中心が配置され、第１の記録領域３０ａにはＲの画像が、第２の記録領域３０ｂにはＧの画像が、また第３の記録領域３０ｃにはＢの画像がそれぞれ記録される。一方第２の撮影モードでは、回転フィルタ７０のストライプフィルタ７０Ｓと、第１の記録領域３０ａが撮影光学系１２の光軸上に配置され、この記録領域３０ａにストライプフィルタ７０Ｓを介して得られた画像が記録される。
【００２０】
このように、第１の撮影モードでは、１つの被写体像に対応した画像が、３回の記録動作によって第１〜第３の記録領域３０ａ〜３０ｃにそれぞれ記録される。また第２の撮影モードでは、１つの被写体像に対応した画像が、１回の記録動作によって第１の記録領域３０ａに記録される。
【００２１】
画像の記録が第１および第２の撮影モードのいずれにより行われたかを示す情報を電子現像型記録媒体３０に記録するため、電子現像型記録媒体３０に近接させて撮影モード情報記録用光源７６が設けられている。この光源７６は、システムコントロール回路２０の制御に基づいて、光源駆動回路７７を介して制御され、第１の撮影モードにおいて点灯される。
【００２２】
システムコントロール回路２０には、レリーズボタン５６、撮影モード選択スイッチ等を含む操作部７２が接続されており、操作者の意図により、操作部７２の操作に従って、撮影モードの選択、撮影動作および画像信号の読出し動作等が行われる。例えば、レリーズボタン５６を半押しすることにより測光スイッチ（図示せず）がオン状態に定められて測光センサ２８による測光が開始され、レリーズボタン５６を全押しすることによりレリーズスイッチ（図示せず）がオン状態に定められて撮影動作が行われる。またシステムコントロール回路２０には、この電子現像型カメラの種々の設定状態等を表示するための表示素子６８と、ストロボ１３を制御するためのストロボ駆動回路６９が接続されている。
【００２３】
図５は電子現像型記録媒体３０の層構造を示す図であり、これは特開平５−２２８０号公報に開示されたものと基本的に同じである。
【００２４】
すなわち電子現像型記録媒体３０は静電情報記録媒体３１と電荷保持媒体３２を備え、電源３３によって電圧を印加される。静電情報記録媒体３１は、基板３４、電極層３５、無機酸化物層３６および光導電層３７を積層して成り、光導電層３７は電荷発生層３７ａと電荷輸送層３７ｂを重合させて構成される。電荷保持媒体３２は、液晶支持体３８と液晶電極層３９の間に例えばスメクティック液晶等のメモリ性を有する液晶４０を封入して構成される。静電情報記録媒体３１の電荷輸送層３７ｂと電荷保持媒体３２の液晶支持体３８とは微小間隙をもって対向している。
【００２５】
記録媒体駆動回路４１の制御に基づいて、電源３３により所定の電圧が電子現像型記録媒体３０に印加される。電極層３５と液晶電極層３９の間、すなわち静電情報記録媒体３１と電荷保持媒体３２に電圧が印加された状態で静電情報記録媒体３１が露光されると、静電情報記録媒体３１には、画像に応じた電荷が発生する。この電荷に応じて、液晶４０に作用する電界の強さが変化するため、液晶４０には、その画像が可視像として表示され、被写体像が現像される。この電荷保持媒体３２はメモリ性を有する液晶表示素子であり、現像された可視像は電界を除去しても保持される。この液晶表示素子は、加熱装置（図示せず）を用いて所定の温度に加熱することにより、現像された可視像を消去させることもでき、その場合は繰り返し同一記録媒体を用いることもできる。
【００２６】
図６は撮影動作ルーチンを示すフローチャートである。この撮影動作ルーチンは、この電子現像型カメラの電源がオン状態である間、一定時間毎に割り込み処理される。
【００２７】
ステップＳ０１では、第１の撮影モードが設定されているか否かが判定される。この撮影モードは、操作部７２に設けられた撮影モード選択スイッチによって設定される。第１の撮影モードが設定されているとき、ステップＳ０２においてパラメータＭＦが１に定められる。これに対し、第１の撮影モードが設定されていないとき、すなわち第２の撮影モードが設定されているとき、ステップＳ０３においてパラメータＭＦが０に定められ、そしてステップＳ０４において、回転フィルタ７０が回転移送され、ストライプフィルタ７０Ｓが撮影光学系１２の光軸上に位置決めされる。
【００２８】
ステップＳ０５では、レリーズスボタン５６が全押しされてレリーズスイッチがオン状態に定められたか否かが判定される。レリーズスイッチがオン状態ではないとき、ステップＳ０１へ戻り、上述した動作が繰り返される。これに対してレリーズスイッチがオン状態であるとき、ステップＳ０６において、図７および図８に示す第１の記録動作ルーチンが実行され、この撮影動作ルーチンは終了する。
【００２９】
図７および図８は、図６のステップＳ０６において実行される第１の記録動作ルーチンを示すフローチャートである。この記録動作ルーチンの実行に先立ち、パラメータＭＦが１に設定される第１の撮影モードでは、図９（ａ）に示すように、Ｒフィルタ要素７０Ｒが撮影光学系１２の光軸上、すなわちアパーチャＡＰに対応する位置に定められている。これに対し、パラメータＭＦが０に設定される第２の撮影モードでは、図６のステップＳ０４の作用により、図９（ｄ）に示すようにストライプフィルタ７０Ｓが撮影光学系１２の光軸上に定められている。
【００３０】
まず、第１の撮影モードが設定され、Ｒフィルタ要素７０ＲがアパーチャＡＰに対応する位置に定められていると仮定する。
【００３１】
ステップＳ１０では、測光センサ２８からの出力信号すなわち測光値が検出される。ステップＳ１１では、測光値に基づいて露出演算が行われ、絞り１２ａの開度とシャッタスピード（露出時間）が求められる。ステップＳ１２では記録媒体駆動回路４１が駆動されて電子現像型記録媒体３０に電圧が印加される。ステップＳ１３では、クイックリターンミラー２１がダウン状態からアップ状態に変化し、また絞り１２ａの開度が全開状態から所定開度まで変化する。
【００３２】
ステップＳ１４ではパラメータＫが１に定められる。ここでは第１の撮影モードが設定され、パラメータＭＦが１であるので、ステップＳ１５からステップＳ１６へ進み、撮影モード情報記録用光源７６が点灯される。すなわち、第１の記録領域３０ａに対応した部位には、第１の撮影モードであることを示す識別マークが光学的に記録される。
【００３３】
ステップＳ１７ではシャッタ２２が開放される。ここでは、パラメータＫが１であるのでステップＳ１８からステップＳ１９へ進み、第１の記録領域３０ａに対応したスイッチ４２ａがオン状態に定められ、この記録領域３０ａに電圧が印加される。ステップＳ２３では、ステップＳ１７におけるシャッタ２２の開放から所定の露出時間が経過したか否かが判定される。露出時間が経過すると、ステップＳ２４においてシャッタ２２が閉塞される。ステップＳ２５において、ステップＳ１２における電圧印加の開始から所定の印加時間が経過したことが確認されると、ステップＳ２６において、各スイッチ４２ａ、４２ｂ、４２ｃがオフ状態に定められ、電子現像型記録媒体３０に対する電圧印加が停止される。またステップＳ２７では、撮影モード情報記録用光源７６が消灯される。
【００３４】
このようにして電子現像型記録媒体３０の第１の記録領域３０ａにはＲの画像が記録される。またこの記録領域３０ａに対応した部位には、第１の撮影モードであることを示す識別マークが記録される。
【００３５】
ステップＳ２８ではパラメータＭＦが０であるか否かが判定される。ここでは、パラメータＭＦは０ではないのでステップＳ２９へ進み、パラメータＫが３であるか否かが判定される。パラメータＫが３ではないので、ステップＳ３０においてパラメータＫが１だけインクリメントされて２に定められる。そしてステップＳ３１において、回転フィルタ７０が約９０度だけ回転せしめられるとともに、電子現像型記録媒体３０が１画面分だけ移送される。これにより、回転フィルタ７０は、図９（ｂ）に示すようにＧフィルタ要素７０ＧがアパーチャＡＰに位置決めされ、また電子現像型記録媒体３０の第２の記録領域３０ｂがアパーチャＡＰに位置決めされる。
【００３６】
そして、再びステップＳ１５へ戻る。すなわち、ステップＳ１５からステップＳ１６へ進んで撮影モード情報記録用光源７６が点灯され、第２の記録領域３０ｂに対応した部位に第１の撮影モードであることを示す識別マークが記録される。ステップＳ１７ではシャッタ２２が開放される。ここではパラメータＫは２であるので、ステップＳ１８、Ｓ２０、Ｓ２１の順に実行され、第２の記録領域３０ｂに対応したスイッチ４２ｂがオン状態に定められる。そしてステップＳ２３〜Ｓ２７が実行され、第２の記録領域３０ｂにＧの画像が記録されるとともに、この記録領域３０ｂに対応した部位に、第１の撮影モードであることを示す識別マークが記録される。
【００３７】
上述した動作と同様に、ステップＳ２８〜Ｓ３１が実行されて、パラメータＫが３に定められ、また回転フィルタ７０が約９０度だけ回転せしめられるとともに、電子現像型記録媒体３０が１画面分だけ移送される。これにより回転フィルタ７０は、図９（ｃ）に示すようにＢフィルタ要素７０ＢがアパーチャＡＰに位置決めされ、また第３の記録領域３０ｃがアパーチャＡＰに位置決めされる。
【００３８】
再びステップＳ１５へ戻り、ステップＳ１６において撮影モード情報記録用光源７６が点灯され、第３の記録領域３０ｃに対応した部位に第１の撮影モードであることを示す識別マークが記録される。そしてステップＳ１７においてシャッタ２２が開放された後、ステップＳ１８、Ｓ２０、Ｓ２２の順に実行され、第３の記録領域３０ｃに対応したスイッチ４２ｃがオン状態に定められる。次いでステップＳ２３〜Ｓ２７が実行され、第３の記録領域３０ｃにＢの画像が記録されるとともに、この記録領域３０ｃに対応した部位に、第１の撮影モードであることを示す識別マークが記録される。
【００３９】
第１〜第３の記録領域３０ａ〜３０ｃへの記録が終了すると、ステップＳ２９においてパラメータＫが３であると判定されるので、ステップＳ３２が実行され、クイックリターンミラー２１がアップ状態からダウン状態に変化し、また絞り１２ａの開度が全開状態まで開放される。ステップＳ３３では、記録媒体駆動回路４１の駆動が停止されて、電子現像型記録媒体３０への電圧印加が停止される。そして、ステップＳ３４において回転フィルタ７０が初期位置、すなわちＲフィルタ要素７０ＲがアパーチャＡＰに位置決めされ、また電子現像型記録媒体３０は第１の記録領域３０ａがアパーチャＡＰに位置決めされる。これにより、この記録動作ルーチンは終了する。
【００４０】
一方第２の撮影モードが設定されている場合、初期状態として、図９（ｄ）に示すように、ストライプフィルタ７０Ｓと第１の記録領域３０ａがアパーチャＡＰに位置決めされる。
【００４１】
パラメータＭＦが０であるため、ステップＳ１５から直接ステップＳ１７へ進み、またステップＳ１８、Ｓ１９が実行されて第１の記録領域３０ａに電圧が印加される。そしてステップＳ２３〜Ｓ２７において、第１の記録領域３０ａにストライプフィルタ７０Ｓによる画像が記録される。一方、ステップＳ１６は実行されないので、第１の記録領域３０ａに対応した部位には識別マークは記録されない。
【００４２】
パラメータＭＦが０であるので、ステップＳ２８からステップＳ３２へ進み、上述したステップＳ３２〜Ｓ３４の処理が実行されてこの記録動作ルーチンは終了する。
【００４３】
以上のように本実施形態によれば、カラーの高精細画像を電子現像型記録媒体３０に記録する場合、操作部７２に設けられた撮影モード選択スイッチを操作することによって第１の撮影モードが選択され、第１〜第３の記録領域３０ａ〜３０ｃにＲ、Ｇ、Ｂの画像が１つずつ順次記録される。また、例えば被写体が動体であること等の理由によって、Ｒ、Ｇ、Ｂの画像を順次記録することが困難な場合には、撮影モード選択スイッチによって第２の撮影モードが選択され、第１の記録領域３０ａにストライプフィルタを介して得られるカラー画像が記録される。
【００４４】
したがって本実施形態によれば、被写体像が静止像であるか動体であるかに応じて撮影モードを切り換え、所望の画像を得ることができる。
【００４５】
図１０〜図１２は第２の実施形態の構成を示し、図１０は電子現像型カメラのブロック図、図１１は回転フィルタ７０の正面図、図１２は電子現像型記録媒体３０とエリアセンサ８３を示す斜視図である。これらの図を参照し、図２、図３および図４に示す第１の実施形態と異なる構成を説明する。
【００４６】
シャッタ２２の近傍であって回転フィルタ７０に干渉しない位置には、支持部材５８が設けられている。支持部材５８は図示しない固定枠に固定されており、支持部材５８には、例えば発光素子（ＬＥＤ）から成る照明光源ユニット４２とスキャナ光学系４３とラインセンサ４４がそれぞれ支持されている。ラインセンサ４４は、例えば２０００画素のＣＣＤ１次元センサ等を用いることができる。照明光源ユニット４２とスキャナ光学系４３とラインセンサ４４は撮影光学系１２の光軸に略平行な方向に配列されている。
【００４７】
回転フィルタ７０は図１１に示すように、Ｒフィルタ要素７０Ｒ、Ｇフィルタ要素７０Ｇ、Ｂフィルタ要素７０Ｂから成る第１の光学部材と、透明フィルタ要素７０Ｗから成る第２の光学部材とを備えている。各フィルタ要素７０Ｒ、７０Ｇ、７０Ｂ、７０Ｗは、第１の実施形態と同様に、約９０度の中心角の扇型を有し、アパーチャＡＰを包含する大きさを有している。透明フィルタ要素７０Ｗは全ての色成分の光を透過させる。
【００４８】
図１２に示すように、電子現像型記録媒体３０の下側には、固体撮像素子から構成されるエリアセンサ８３が設けられている。このエリアセンサ８３には、第１〜第３の記録領域３０ａ〜３０ｃと略同じ面積を有する第４の記録領域３０ｄが形成され、またその受光面には例えばＲ、Ｇ、Ｂのカラーフィルタ要素を所定の方式に従って配置して成るカラーフィルタが設けられている。エリアセンサ８３は、実際には、電子現像型記録媒体３０を保持する記録媒体保持部材（図示せず）の下端部に一体的に連結されている。したがってエリアセンサ８３は、記録媒体移送駆動機構８０により、電子現像型記録媒体３０と一体的に移送される。またエリアセンサ８３による撮像動作とエリアセンサ８３からの画像信号の読出動作は、システムコントロール回路２０の制御に基づき、エリアセンサ駆動回路８２によって行われる。
【００４９】
第１の撮影モードでは、第１の実施形態と同様に、撮影光学系１２の光軸上に、Ｒフィルタ要素７０Ｒ、Ｇフィルタ要素７０ＧあるいはＢフィルタ要素７０Ｂと第１、第２および第３の記録領域３０ａ、３０ｂあるいは３０ｃの中心とが配置され、これらの記録領域３０ａ、３０ｂ、３０ｃに、Ｒ、Ｇ、Ｂの画像がそれぞれ記録される。第２の撮影モードでは、回転フィルタ７０の透明フィルタ７０Ｗと、エリアセンサ８３すなわち第４の記録領域３０ｄが撮影光学系１２の光軸上に配置され、エリアセンサ８３には、その受光面に設けられたカラーフィルタによってカラー画像が記録される。
【００５０】
第２の実施形態においても、第１の実施形態と同様に、画像の記録が第１および第２の撮影モードのいずれにより行われたかを示す情報を電子現像型記録媒体３０に記録するため、撮影モード情報記録用光源７６が設けられている。
【００５１】
電子現像型記録媒体３０に記録された画像を読み出す時、第１〜第３の記録領域３０ａ、３０ｂ、３０ｃが照明光源ユニット４２とスキャナ光学系４３の間を、スキャナ光学系４３の光軸に垂直な方向に移送される。すなわち電子現像型記録媒体３０上の画像は、照明光源ユニット４２によって照明され、スキャナ光学系４３の作用によってラインセンサ４４の受光面に結像される。
【００５２】
照明光源ユニット４２のオンオフ制御は照明光源駆動回路４５により行われ、ラインセンサ４４に発生した画像信号の読出し動作等の制御はラインセンサ駆動回路４７により行われる。これらの回路４５、４７はシステムコントロール回路２０により制御される。
【００５３】
ラインセンサ４４から読み出された画像信号は、アンプ６１ａにより増幅され、センサ選択スイッチ７８を介してＡ／Ｄ変換器６２に供給される。Ａ／Ｄ変換器６２においてデジタル信号に変換された画像信号は、システムコントロール回路２０の制御に従って、画像処理回路６３においてシェーディング補正およびガンマ補正等の処理を施された後、メモリ６４に一時的に格納される。なおメモリ６４は、ラインセンサ４４から出力される１水平走査線分だけの記憶容量を有していてもよいが、１フレーム分の記憶容量を有するメモリであってもよい。またメモリ６４はＥ2 ＰＲＯＭを備えており、このＥ2 ＰＲＯＭにはシェーディング補正等の補正値が格納される。
【００５４】
メモリ６４から読み出された画像信号は、画像処理回路６３からインターフェイス回路６５に入力されてフォーマットの変換等の所定の処理を施され、通信コネクタ５７を介して外部のコンピュータ（図示せず）等に出力可能である。また画像処理回路６３から出力された画像信号は、記録装置制御回路６７による制御に基づき、画像記録装置６７ａにおいて例えばＩＣメモリカード等の記録媒体に記録可能である。インターフェイス回路６５と記録装置制御回路６７はシステムコントロール回路２０からの指令信号に従って動作する。
【００５５】
一方、エリアセンサ８３から読み出された画像信号は、アンプ６１ｂにより増幅され、ラインセンサ４４から読み出された画像信号と同様に、センサ選択スイッチ７８を介してＡ／Ｄ変換器６２に供給されてデジタル信号に変換され、画像処理回路６３において所定の処理を施された後、例えば通信コネクタ５７を介して外部のコンピュータ（図示せず）等に出力可能である。
【００５６】
センサ選択スイッチ７８は、システムコントロール回路２０の制御に基づいて切り換えられ、第１の撮影モードと第２の撮影モードのいずれか設定されているかに従って、ラインセンサ４４とエリアセンサ８１の一方が選択的にＡ／Ｄ変換器７８に接続される。
【００５７】
その他の構成は、第１の実施形態と同じである。
【００５８】
図１３は、撮影動作ルーチンを示すフローチャートである。この撮影動作ルーチンは、この電子現像型カメラの電源がオン状態である間、一定時間毎に割り込み処理される。
【００５９】
ステップＳ４０では、第１の撮影モードが設定されているか否かが判定される。第１の撮影モードが設定されているとき、ステップＳ４１においてパラメータＭＦが１に定められ、ステップＳ４２においてセンサ選択スイッチ７８がラインセンサ４４側に接続される。これに対して第１の撮影モードが設定されていないとき、すなわち第２の撮影モードが設定されているとき、ステップＳ４３においてパラメータＭＦが０に定められ、ステップＳ４４において、回転フィルタ７０が回転移送されて透明フィルタ７０Ｗが撮影光学系１２の光軸上に位置決めされる。またステップＳ４５においてエリアセンサ８３が記録媒体移送駆動機構８０によって移送され、アパーチャＡＰの位置に定められた後、ステップＳ４６において、センサ選択スイッチ７８がエリアセンサ８３側に接続される。
【００６０】
ステップＳ４７では、レリーズスボタン５６が全押しされてレリーズスイッチがオン状態に定められたか否かが判定される。レリーズスイッチがオン状態ではないとき、ステップＳ４０へ戻り、上述した動作が繰り返される。これに対してレリーズスイッチがオン状態であるとき、ステップＳ４８においてパラメータＭＦが１であるか否かが判定される。第１の撮影モードが選択されてパラメータＭＦが１であるとき、ステップＳ４９において第１の記録動作ルーチンが実行された後、ステップＳ５０において画像読出動作ルーチンが実行され、この撮影動作ルーチンは終了する。これに対し、第２の撮影モードが選択されてパラメータＭＦが０であるとき、ステップＳ５１において第２の記録動作ルーチンが実行され、この撮影動作ルーチンは終了する。
【００６１】
ステップＳ４９において実行される第１の記録動作ルーチンは、図７および図８に示す第１の実施形態と基本的に同様であるが、パラメータＭＦに関する処理を行うステップＳ１５、Ｓ２８が省略される点が異なる。
【００６２】
図１４〜図１６は、ステップＳ５０において実行される画像読出動作ルーチンのフローチャートである。
【００６３】
ステップＳ５７ではシャッタ２２が開放され、ステップＳ５８では光源４２が点灯される。そしてステップＳ５９では、スキャナ系駆動信号が出力され、記録媒体移送駆動機構８０に設けられたスキャン駆動モータが正転し、電子現像型記録媒体３０が初期位置から上昇し始める。ステップＳ６０ではラインセンサ駆動電源がオン状態に定められ、ラインセンサ駆動回路４７が駆動を開始される。ステップＳ６１ではパラメータＫが１に定められる。
【００６４】
ステップＳ６２において、電子現像型記録媒体３０がラインセンサ４４による読み出し開始位置に定められたことが確認されると、ステップＳ６３においてスキャナ系駆動信号の出力が停止され、スキャン駆動モータすなわち電子現像型記録媒体３０が停止される。この停止動作は、例えばスキャン駆動モータを回転駆動するためのパルス信号を計数すること等によって制御される。
【００６５】
ステップＳ６４ではラインセンサ４４に対する露出が開始され、電荷蓄積が行われる。ステップＳ６５において、例えば一定時間が経過したことを検知することにより、ラインセンサ４４の露出が完了したことが確認されると、ステップＳ６６においてラインセンサ４４の読み出しが開始され、１水平走査線分の画像信号の出力が開始される。またステップＳ６７では、スキャン駆動モータを正転させるスキャナ系駆動信号が出力されて、電子現像型記録媒体３０はさらに上昇し始める。
【００６６】
この電子現像型記録媒体３０の移動中において、ステップＳ６８においてラインセンサ４４の読み出しが終了したことが確認されると、ステップＳ６９においてその読み出しが停止される。なお、この読み出しの終了は、例えばラインセンサ駆動回路４７から出力されるラインセンサ４４を駆動するためのパルス信号を計数することにより制御される。ステップＳ６８において読み出しの終了が確認されなかった場合、ステップＳ６９がスキップされてステップＳ７０が実行され、電子現像型記録媒体３０がラインセンサ４４に対して次の読み出し位置に定められたか否かが判定される。電子現像型記録媒体３０が次の読み出し位置に定められていない場合、ステップＳ６８〜Ｓ７０が再び実行される。
【００６７】
ステップＳ７０において電子現像型記録媒体３０が次の読み出し位置に定められたことが確認されると、ステップＳ７１においてスキャナ系駆動信号の出力が停止され、スキャン駆動モータ５５が停止される。この停止動作は、例えばスキャン駆動モータを回転駆動するためのパルス信号を計数すること等によって制御される。次いでステップＳ７２では、ステップＳ６８と同様にラインセンサ４４の読み出しの終了が確認され、ステップＳ７３において読み出しが停止される。すなわち、ステップＳ６９を実行することなくステップＳ６８〜Ｓ７０のループを抜けた場合であっても、ステップＳ７３においてラインセンサ４４の読み出しが終了される。
【００６８】
ステップＳ７４では、全水平走査線に関する読み出し動作が完了したか否かが判定される。全水平走査線の数は例えば２０００であり、ステップＳ７４では、１本の水平走査線の画像信号が読み出される度にカウントアップされるカウンタの値が判定される。全水平走査線の読み出しが完了していない場合、ステップＳ６４へ戻り、上述した動作が繰り返される。
【００６９】
このようにして全水平走査線の読み出しが完了すると、ステップＳ７５においてパラメータＫが３に達しているか否かが判定される。パラメータＫがまだ３に達していない場合、すなわち第１〜第３の記録領域３０ａ〜３０ｃの全ての読み出しが完了していない場合、ステップＳ７６においてパラメータＫが１だけインクリメントされた後、ステップＳ７７において電子現像型記録媒体３０が、次の記録領域が読み出し開始位置に定められるように移送される。そして再びステップＳ６２以下が実行され、上述した画像信号の読み出し動作が行われる。
【００７０】
このようにして第１〜第３の記録領域３０ａ〜３０ｃに記録された画像が読み出されると、ステップＳ７５からステップＳ８０へ移り、ラインセンサ４４の駆動電源がオフ状態に切り換えられるとともに、ステップＳ８１において光源４２が消灯される。また、ステップＳ８２ではシャッタ２２が閉塞され、ステップＳ８３では、スキャン駆動モータを逆転させるスキャナ系駆動信号が出力されて、電子現像型記録媒体３０が下降し始める。
【００７１】
この電子現像型記録媒体３０の下降動作中に、ステップＳ８４において電子現像型記録媒体３０が初期位置に復帰したことが確認されると、ステップＳ８５においてスキャナ系駆動信号の出力が停止され、スキャン駆動モータが停止される。これにより、このルーチンは終了する。なおステップＳ８４における初期位置の検知動作は、例えば電子現像型記録媒体３０を支持する保持部材の一部がフォトインタラプタ（図示せず）を横切ることによって出力される信号に基づいて行われる。
【００７２】
図１７は、図１３のステップＳ５１において実行される第２の記録動作ルーチンを示すフローチャートである。
【００７３】
ステップＳ８７では、測光センサ２８の出力信号である測光値が検出される。ステップＳ８８では測光値に基づいて露出演算が行われ、絞り１２ａの開度とシャッタスピード（露出時間）が求められる。ステップＳ８９ではエリアセンサ駆動回路８２が駆動される。ステップＳ９０では、クイックリターンミラー２１がダウン状態からアップ状態に変化し、また絞り１２ａの開度が全開状態から所定開度まで変化する。
【００７４】
ステップＳ９１ではシャッタ２２が開放される。ステップＳ９２では、シャッタ２２の開放から所定の露出時間が経過したか否かが判定される。露出時間が経過すると、ステップＳ９３においてシャッタ２２が閉塞される。ステップＳ９４では、クイックリターンミラー２１がアップ状態からダウン状態に変化し、また絞り１２ａの開度が全開状態まで開放される。ステップＳ９５では、エリアセンサ８３から画像信号が読み出される。ステップＳ９６において、エリアセンサ８３からの画像信号の読み出しが終了したことが確認されると、ステップＳ９７において、エリアセンサ駆動回路８２の駆動が停止される。そしてステップＳ９８において回転フィルタ７０が初期位置、すなわちＲフィルタ要素７０ＲがアパーチャＡＰに位置決めされ、また電子現像型記録媒体３０の第１の記録領域３０ａがアパーチャＡＰに位置決めされて、この記録動作ルーチンは終了する。
【００７５】
このように第２の実施形態によれば、第１の実施形態と同様に、第１の撮影モードによって高精細のカラー画像を電子現像型記録媒体３０に記録することができることに加え、モノクロ画像を固体撮像素子から構成されるエリアセンサ８３に記録することができる。また第２の実施形態によれば、電子現像型記録媒体３０に記録された画像を読み出すことができる。さらに第２の実施形態によれば、第２の撮影モードではエリアセンサ８３が使用され、ラインセンサ４４による画像の読出動作（図１３のステップＳ５０）が行われないため、撮影動作を迅速に行うことができる。
【００７６】
図１８は第３の実施形態の電子現像型カメラのブロック図である。
この電子現像型カメラは、Ｒフィルタ要素、Ｇフィルタ要素、Ｂフィルタ要素から成る第１の光学部材である回転フィルタ７０と、入射光をＲ、Ｇ、Ｂに色分解する第２の光学部材である色分解プリズム９０とを有する。回転フィルタ７０のＲフィルタ要素、Ｇフィルタ要素、Ｂフィルタ要素は、その回転中心を通る３本の直線によって略３等分して成る扇型を有している。色分解プリズム９０はＲ、Ｇ、Ｂの画像にそれぞれ対応した３つの出射面を有している。
【００７７】
電子現像型記録媒体３０は、回転フィルタ７０に対向する第１の位置と、色分解プリズム９０の出射面に対向する第２の位置との間において往復移動可能であり、さらに第１の位置において、第１および第２の実施形態と同様に、アパーチャに対応した位置に所定の記録領域が定められるように変位可能である。また第２の位置には、第１〜第３の記録領域３０ａ、３０ｂ、３０ｃに近接させて３つの撮影モード情報記録用光源７６が設けられている。
【００７８】
クイックリターンミラー２１の直ぐ後方にはシャッタ２２が配設され、シャッタ２２の直ぐ後側には可動ミラー９１が設けられている。可動ミラー９１の両側には第１および第２の固定ミラー９２、９３が設けられている。可動ミラー９１は可動ミラー駆動機構７４によって駆動され、撮影光学系１２の光軸に垂直な軸の周りに回転可能である。
【００７９】
可動ミラー９１は、撮影光学系１２から導かれた光線を第１および第２の固定ミラー９２、９３の一方に反射させる角度位置に定められる。可動ミラー９１が第１の固定ミラー９２に平行であるとき、撮影光学系１２からシャッタ２２を介して導かれた光線は可動ミラー９１と第１の固定ミラー９２において反射し、回転フィルタ７０を透過して電子現像型記録媒体３０に導かれる。これに対し、可動ミラー９１が第２の固定ミラー９３に平行であるとき、撮影光学系１２からシャッタ２２を介して導かれた光線は可動ミラー９１と第２の固定ミラー９３において反射し、色分解プリズム９０を透過して電子現像型記録媒体３０に導かれる。
【００８０】
電子現像型記録媒体３０が第１の位置にあるとき、スイッチ４２ａ、４２ｂ、４２ｃにより、第１〜第３の記録領域３０ａ、３０ｂ、３０ｃのひとつに電圧が印加され、電子現像型記録媒体３０が第２の位置にあるとき、スイッチ４２ａ、４２ｂ、４２ｃにより、全ての記録領域３０ａ、３０ｂ、３０ｃに電圧が印加される。
【００８１】
その他の構成は第１の実施形態と同じである。
【００８２】
図１９は撮影動作ルーチンを示すフローチャートである。この撮影動作ルーチンは、この電子現像型カメラの電源がオン状態である間、一定時間毎に割り込み処理される。
【００８３】
ステップＳ１００では第１の撮影モードが設定されているか否かが判定される。第１の撮影モードが設定されているとき、ステップＳ１０１においてパラメータＭＦが１に定められ、ステップＳ１０２において可動ミラー９１が第１の角度位置、すなわち撮影光学系１２から導かれた光線を第１の固定ミラー９２に反射させる角度位置（図１８において実線により示される位置）に定められる。またステップＳ１０３では、電子現像型記録媒体３０が第１の位置、すなわち回転フィルタ７０に対向する位置（図１８において実線により示される位置）に定められる。
【００８４】
これに対して第２の撮影モードが設定されているとき、ステップＳ１０４においてパラメータＭＦが０に定められ、ステップＳ１０５において可動ミラー９１が第２の角度位置、すなわち撮影光学系１２から導かれた光線を第２の固定ミラー９３に反射させる角度位置（図１８において破線により示される位置）に定められる。またステップＳ１０６では、電子現像型記録媒体３０が第２の位置、すなわち色分解プリズム９０に対向する位置（図１８において破線により示される位置）に定められ、第１〜第３の記録領域３０ａ〜３０ｃが色分解プリズム９０の３つの出射面にそれぞれ対向する。
【００８５】
ステップＳ１０７ではレリーズスイッチがオン状態に定められたか否かが判定される。レリーズスイッチがオン状態ではないとき、ステップＳ１００へ戻り、上述した動作が繰り返されるが、レリーズスイッチがオン状態であるとき、ステップＳ１０８へ進む。ステップＳ１０８において、パラメータＭＦが１であると判定されたとき、ステップＳ１０９において第１の記録動作ルーチンが実行され、この撮影動作ルーチンは終了する。これに対してパラメータＭＦが０であるとき、ステップＳ１０８からステップＳ１１０へ進んで第３の記録動作ルーチンが実行され、この撮影動作ルーチンは終了する。
【００８６】
ステップＳ１０９において実行される第１の記録動作ルーチンは、図７および図８に示す第１の実施形態と基本的に同様であるが、パラメータＭＦに関する処理を行うステップＳ１５、Ｓ２８が省略される点が異なる。
【００８７】
図２０は、図１９のステップＳ１１０において実行される第３の記録動作ルーチンを示すフローチャートである。
【００８８】
ステップＳ１１１では測光センサ２８の出力信号である測光値が検出され、ステップＳ１１２では測光値に基づいて露出演算が行われて絞り１２ａの開度とシャッタスピード（露出時間）が求められる。ステップＳ１１３では記録媒体駆動回路４１が駆動されて電子現像型記録媒体３０に電圧が印加され、ステップＳ１１４では、クイックリターンミラー２１がダウン状態からアップ状態に変化し、また絞り１２ａの開度が全開状態から所定開度まで変化する。
【００８９】
ステップＳ１１５ではシャッタ２２が開放される。ステップＳ１１６では、３つのスイッチ４２ａ、４２ｂ、４２ｃがオン状態に定められ、各記録領域３０ａ、３０ｂ、３０ｃに電圧が印加される。ステップＳ１１７では、撮影モード情報記録用光源７６が点灯され、第１〜第３の記録領域３０ａ〜３０ｃに対応した部位に、識別マークが光学的に記録される。ステップＳ１１８において、シャッタ２２の開放から所定の露出時間が経過したことが確認されると、ステップＳ１１９においてシャッタ２２が閉塞される。ステップＳ１２０において、ステップＳ１１３における電圧印加の開始から所定の印加時間が経過したことが確認されると、ステップＳ１２１において、各スイッチ４２ａ、４２ｂ、４２ｃがオフ状態に定められ、電子現像型記録媒体３０に対する電圧印加が停止される。
【００９０】
ステップＳ１２２では、撮影モード情報記録用光源７６が消灯される。ステップＳ１２３では、クイックリターンミラー２１がアップ状態からダウン状態に変化し、また絞り１２ａの開度が全開状態まで開放される。ステップＳ１２４では、記録媒体駆動回路４１の駆動が停止されて、電子現像型記録媒体３０への電圧印加が停止され、これにより、この記録動作ルーチンは終了する。
【００９１】
以上のように第３の実施形態によれば、第１の実施形態と同様に回転フィルタ７０を用いてＲ、Ｇ、Ｂの画像を電子現像型記録媒体３０に記録することができる他、色分解プリズム９０を用いて１回のシャッタ動作によりＲ、Ｇ、Ｂの画像を電子現像型記録媒体３０に記録することができるので、被写体が動体であっても、高精細のカラー画像を得ることが可能である。
【００９２】
【発明の効果】
以上のように本発明によれば、被写体像が静止像であるか動体であるかに応じて撮影モードを切り換え、所望の画像を得ることができる。
【図面の簡単な説明】
【図１】本発明の第１の実施形態を適用した電子現像型カメラの外観図である。
【図２】図１の電子現像型カメラの回路構成を示すブロック図である。
【図３】回転フィルタの概略的な構成を示す正面図である。
【図４】ストライプフィルタの構成を示す正面図である。
【図５】電子現像型記録媒体の構成を示す図である。
【図６】第１の実施形態における撮影動作ルーチンを示すフローチャートである。
【図７】第１の記録動作ルーチンの前半部分を示すフローチャートである。
【図８】第１の記録動作ルーチンの後半部分を示すフローチャートである。
【図９】回転フィルタとアパーチャの位置関係を示す図である。
【図１０】第２の実施形態の電子現像型カメラのブロック図である。
【図１１】回転フィルタを示す正面図である。
【図１２】電子現像型記録媒体とエリアセンサを示す斜視図である。
【図１３】第２の実施形態における撮影動作ルーチンを示すフローチャートである。
【図１４】画像読出動作ルーチンの最初の部分を示すフローチャートである。
【図１５】画像読出動作ルーチンのラインセンサによる読出動作の部分を示すフローチャートである。
【図１６】画像読出動作ルーチンの最後の部分を示すフローチャートである。
【図１７】第２の記録動作ルーチンを示すフローチャートである。
【図１８】第３の実施形態の電子現像型カメラのブロック図である。
【図１９】第３の実施形態における撮影動作ルーチンを示すフローチャートである。
【図２０】第３の記録動作ルーチンを示すフローチャートである。
【符号の説明】
３０  電子現像型記録媒体
３０ａ、３０ｂ、３０ｃ  記録領域
７０  回転フィルタ
７０Ｒ  Ｒフィルタ要素
７０Ｇ  Ｇフィルタ要素
７０Ｂ  Ｂフィルタ要素
７０Ｓ  ストライプフィルタ
９０  色分解プリズム
【図１】
0003699533.tif 000002
【図２】
0003699533.tif 000003
【図３】
0003699533.tif 000004
【図４】
0003699533.tif 000005
【図５】
0003699533.tif 000006
【図６】
0003699533.tif 000007
【図７】
0003699533.tif 000008
【図８】
0003699533.tif 000009
【図９】
0003699533.tif 000010
【図１０】
0003699533.tif 000011
【図１１】
0003699533.tif 000012
【図１２】
0003699533.tif 000013
【図１３】
0003699533.tif 000014
【図１４】
0003699533.tif 000015
【図１５】
0003699533.tif 000016
【図１６】
0003699533.tif 000017
【図１７】
0003699533.tif 000018
【図１８】
0003699533.tif 000019
【図１９】
0003699533.tif 000020
【図２０】
0003699533.tif 000021